(57)【要約】【課題】冷却加熱運転時においても必要な冷媒の凝縮温度を維持することによりエネルギー効率の向上を図ることのできる冷却加熱装置を提供する。【解決手段】冷却加熱運転用冷媒流路において、加熱する収納部３０ａ，３０ｂの放熱器３６ａ，３６ｂにおいて放熱した冷媒を第１〜第３膨張弁５３ａ，５３ｂ，５３ｃの上流側で減圧する第４膨張弁５３ｄを設けたので、冷却運転用冷媒流路を流通する冷媒の減圧比と比較して、冷却加熱運転用冷媒流路を流通する冷媒の減圧比を大きくすることによって、冷却運転用冷媒流路を流通する冷媒の凝縮温度よりも冷却加熱運転用冷媒流路を流通する冷媒の凝縮温度を高く維持することができ、放熱器３６ａ，３６ｂからの熱エネルギーによって加熱する収納部３０ａ，３０ｂを確実に加熱することが可能となり、エネルギー効率の向上を図ることが可能となる。【選択図】図６
2010216755.tif 000002
【特許請求の範囲】
【請求項１】
物品を収納するために設けられた複数の収納部と、各収納部に設けられた第１熱交換器と、収納部外に設けられた第２熱交換器と、冷却する収納部の第１熱交換器の冷媒流入側に設けられた減圧器と、圧縮機と、圧縮機から吐出した冷媒を、第２熱交換器において放熱させ、減圧器によって減圧して第１熱交換器において吸熱させることにより全ての収納部を冷却する冷却運転用冷媒流路と、圧縮機から吐出した冷媒を、一部の第１熱交換器において放熱させた後、減圧器によって減圧してその他の第１熱交換器において吸熱させることにより、一部の収納部を冷却すると同時にその他の収納部を加熱する冷却加熱運転用冷媒流路とを備えた冷却加熱装置において、
冷却加熱運転用冷媒流路に、一部の収納部の第１熱交換器において放熱した冷媒を減圧器の上流側で減圧する冷却加熱運転用減圧器を設けた
ことを特徴とする冷却加熱装置。
【請求項２】
前記収納部外に設けられ、冷却加熱運転用減圧器の上流側を流通する冷媒を放熱させる放熱手段を備えた
ことを特徴とする請求項１記載の冷却加熱装置。
【請求項３】
前記放熱手段を、第２熱交換器と独立した回路構成とした
ことを特徴とする請求項２記載の冷却加熱装置。
【請求項４】
前記冷却運転用冷媒流路の第２熱交換器において放熱した冷媒または冷却加熱運転用冷媒流路の冷却加熱運転用減圧器によって減圧された冷媒と、圧縮機に吸入される冷媒とを熱交換する内部熱交換器を備えた
ことを特徴とする請求項１乃至３の何れか１項記載の冷却加熱装置。
【請求項５】
前記第１熱交換器を、収納部の加熱専用の第１熱交換器と、収納部の冷却専用の第１熱交換器とから構成し、
圧縮機から吐出した冷媒を加熱専用の第１熱交換器に流通させることにより、収納部の冷却によって着霜した冷却専用の第１熱交換器を除霜する除霜手段を備えた
ことを特徴とする請求項１乃至４の何れか１項記載の冷却加熱装置。
【発明の詳細な説明】
【技術分野】
【０００１】
本発明は、例えば、飲料を販売するための自動販売機など、複数の収納部を有し、各収納庫を冷却または加熱するための冷却加熱装置に関するものである。
【背景技術】
【０００２】
従来、この種の冷却加熱装置としては、物品を収納するために設けられた複数の収納部と、各収納部に設けられた第１熱交換器と、収納部外に設けられた第２熱交換器と、冷却する収納部の第１熱交換器の冷媒流入側に設けられた減圧器と、圧縮機と、圧縮機から吐出した冷媒を、第２熱交換器において放熱させ、減圧器によって減圧して第１熱交換器において吸熱させることにより全ての収納部を冷却する冷却運転用冷媒流路と、圧縮機から吐出した冷媒を、一部の第１熱交換器において放熱させた後、減圧器によって減圧してその他の第１熱交換器において吸熱させることにより、一部の収納部を冷却すると同時にその他の収納部を加熱する冷却加熱運転用冷媒流路とを備えたものが知られている（例えば、特許文献１参照）。
【先行技術文献】
【特許文献】
【０００３】
【特許文献１】特開２００２−１３０８９６号公報
【発明の概要】
【発明が解決しようとする課題】
【０００４】
従来の冷却加熱装置において、冷却する収納部の第１熱交換器において吸熱する冷媒は、冷却運転、冷却加熱運転に拘わらず同じ減圧比の減圧器によって減圧されるようになっている。この場合、冷却加熱装置の設置場所の温度が低くなると、高圧側の圧力（冷媒の凝縮温度）が低下するため、冷却加熱運転時に収納部の加熱に必要な冷媒の凝縮温度（例えば、自動販売機の加熱商品の温度である５５℃以上）を維持することができず、不足する熱量を補助の電気ヒータを用いて補う必要があり、エネルギー効率の向上を図ることができない。
【０００５】
本発明の目的とするところは、冷却加熱運転時においても必要な冷媒の凝縮温度を維持することによりエネルギー効率の向上を図ることのできる冷却加熱装置を提供することにある。
【課題を解決するための手段】
【０００６】
本発明は前記目的を達成するために、物品を収納するために設けられた複数の収納部と、各収納部に設けられた第１熱交換器と、収納部外に設けられた第２熱交換器と、冷却する収納部の第１熱交換器の冷媒流入側に設けられた減圧器と、圧縮機と、圧縮機から吐出した冷媒を、第２熱交換器において放熱させ、減圧器によって減圧して第１熱交換器において吸熱させることにより全ての収納部を冷却する冷却運転用冷媒流路と、圧縮機から吐出した冷媒を、一部の第１熱交換器において放熱させた後、減圧器によって減圧してその他の第１熱交換器において吸熱させることにより、一部の収納部を冷却すると同時にその他の収納部を加熱する冷却加熱運転用冷媒流路とを備えた冷却加熱装置において、冷却加熱運転用冷媒流路に、一部の収納部の第１熱交換器において放熱した冷媒を減圧器の上流側で減圧する冷却加熱運転用減圧器を設けている。
【０００７】
これにより、冷却運転用冷媒流路を流通する冷媒の減圧比と比較して、冷却加熱運転用冷媒流路を流通する冷媒の減圧比が大きくなることから、冷却運転用冷媒流路を流通する冷媒の凝縮温度よりも冷却加熱運転用冷媒流路を流通する冷媒の凝縮温度が高くなる。
【発明の効果】
【０００８】
本発明によれば、冷却運転用冷媒流路を流通する冷媒の凝縮温度よりも冷却加熱運転用冷媒流路を流通する冷媒の凝縮温度を高くすることができるので、第１熱交換器から放出される熱エネルギーによって加熱する収納部を確実に加熱することが可能となり、エネルギー効率の向上を図ることが可能となる。
【図面の簡単な説明】
【０００９】
【図１】本発明の一実施形態を示す自動販売機の全体斜視図
【図２】自動販売機の正面断面図
【図３】自動販売機の側面断面図
【図４】冷媒回路を示す自動販売機の概略構成図
【図５】冷却運転用冷媒流路を示す自動販売機の概略構成図
【図６】冷却加熱運転用冷媒流路を示す自動販売機の概略構成図
【発明を実施するための形態】
【００１０】
この冷却加熱装置としての自動販売機は、前面を開口した自動販売機本体１０と、自動販売機本体１０の前面開口を開閉する外扉２０とを備えている。
【００１１】
自動販売機本体１０は、内部を上下に仕切ることにより、上部に商品収納部３０が設けられ、下部に機械室４０が設けられている。
【００１２】
外扉２０は、販売商品の商品サンプルを収納して展示するためのサンプル展示部２１、商品選択スイッチ２２、硬貨投入口２３、紙幣投入口２４、返却レバー２５、硬貨返却口２６及び商品取出口２７が前面に設けられている。外扉２０は、左右方向の一端側が自動販売機本体１０の左右方向の一端側に回転自在に支持されている。
【００１３】
商品収納部３０は、上面側、背面側、底面側及び左右両側面側が断熱材３１によって形成され、商品収納部３０の前面側は、断熱性の内扉３２によって開閉されるようになっている。また、商品収納部３０は、断熱性の仕切板３３によって左右に仕切られており、第１収納部３０ａ、第２収納部３０ｂ及び第３収納部３０ｃが設けられている。第１収納部３０ａ、第２収納部３０ｂ及び第３収納部３０ｃのそれぞれには、商品を上下に積み重ねて収納し、下端側から商品を一つずつ搬出可能な商品収納コラム３４が複数設けられている。
【００１４】
第１収納部３０ａには、第１収納部３０ａを冷却するための第１熱交換器としての第１蒸発器３５ａと、第１収納部３０ａを加熱するための第１熱交換器としての第１放熱器３６ａと、第１蒸発器３５ａまたは第１放熱器３６ａを流通する冷媒と熱交換する空気を流通させるための第１送風機３７ａと、第１放熱器３６ａによって第１収納部３０ａを加熱する際に不足する熱量を補うための第１電熱ヒータ３８ａとが設けられている。
【００１５】
第２収納部３０ｂには、第２収納部３０ｂを冷却するための第１熱交換器としての第２蒸発器３５ｂと、第２収納部３０ｂを加熱するための第１熱交換器としての第２放熱器３６ｂと、第２蒸発器３５ｂまたは第２放熱器３６ｂを流通する冷媒と熱交換する空気を流通させるための第２送風機３７ｂと、第２放熱器３６ｂによって第２収納部３０ｂを加熱する際に不足する熱量を補うための第２電熱ヒータ３８ｂとが設けられている。
【００１６】
第３収納部３０ｃには、第３収納部３０ｃを冷却するための熱交換器としての第３蒸発器３５ｃと、第１蒸発器３５ａ、第２蒸発器３５ｂ及び第３蒸発器３５ｃから流出する冷媒に更に吸熱させるための第４蒸発器３５ｄと、第３蒸発器３５ｃ及び第４蒸発器３５ｄを流通する冷媒と熱交換する空気を流通させるための第３送風機３７ｃとが設けられている。また、第４蒸発器３５ｄは、第３の蒸発器３５ｃの空気流通方向上流側に配置されている。
【００１７】
本実施形態において、第１収納部３０ａ及び第２収納部３０ｂは、冷却と加熱の切り換えが可能であり、第３収納部３０ｃは冷却専用となっている。
【００１８】
機械室４０は、外気が内部を流通可能なように吸気口及び排気口が設けられている。機械室４０内には、冷媒を圧縮するための圧縮機４１と、圧縮機４１から吐出された冷媒を放熱させるための第２熱交換器としての第１外部放熱器４２と、第１放熱器３６ａ及び第２放熱器３６ｂを流通した冷媒を放熱させるための放熱手段としての第２外部放熱器４３と、機械室４０内に空気を流通させるための機械室用送風機４４が設けられている。
【００１９】
圧縮機４１は、低段側圧縮部４１ａと高段側圧縮部４１ｂを有する二段圧縮機からなり、吸入した冷媒を低段側圧縮部４１ａにおいて圧縮し、低段側圧縮部４１ａにおいて圧縮された冷媒を更に高段側圧縮部４１ｂにおいて圧縮して吐出するものである。二段圧縮機は、冷媒を二段階に圧縮することから、高い動作圧力及び高い差圧に対応することが可能であり、例えば二酸化炭素等を冷媒として用いることも可能である。
【００２０】
また、商品収納部３０及び機械室４０には、図４に示すような冷媒回路５０が構成され、ＨＦＣ系冷媒であるＲ１３４ａが冷媒として用いられる。冷媒回路５０は、第１蒸発器３５ａ、第２蒸発器３５ｂ、第３蒸発器３５ｃ、第４蒸発器３５ｄ、第１放熱器３６ａ、第２放熱器３６ｂ、圧縮機４１、第１外部放熱器４２、第２外部放熱器４３、第４蒸発器３５ｄから流出する冷媒と第１外部放熱器４２または第２外部放熱器４３から流出する冷媒とを熱交換するための内部熱交換器５１、減圧器としての第１〜第３膨張弁５３ａ，５３ｂ，５３ｃ、冷却加熱運転用減圧器としての第４膨張弁５３ｄ、冷媒の流路を開閉するための第１〜第６電磁弁５４ａ，５４ｂ，５４ｃ，５４ｄ，５４ｅ，５４ｆを有し、銅管またはステンレス管によって接続されている。
【００２１】
圧縮機４１の冷媒吐出側は、第１外部放熱器４２、第１放熱器３６ａ及び第２放熱器３６ｂのそれぞれの冷媒流入側に並列に接続され、第１外部放熱器４２、第１放熱器３６ａ及び第２放熱器３６ｂの冷媒流入側の流路には、それぞれ第１電磁弁５４ａ、第２電磁弁５４ｂ及び第３電磁弁５４ｃが設けられている。第１外部放熱器４２の冷媒流出側は、内部熱交換器５１の高圧冷媒流入側に接続され、内部熱交換器５１の高圧冷媒流出側は、第１蒸発器３５ａ、第２蒸発器３５ｂ及び第３蒸発器３５ｃのそれぞれの冷媒流入側に並列に接続されている。第１蒸発器３５ａ、第２蒸発器３５ｂ及び第３蒸発器３５ｃの冷媒流入側の流路には、それぞれ第１膨張弁５３ａ、第２膨張弁５３ｂ及び第３膨張弁５３ｃが設けられ、第１膨張弁５３ａ、第２膨張弁５３ｂ及び第３膨張弁５３ｃの上流側の流路には、それぞれ第４電磁弁５４ｄ、第５電磁弁５４ｅ及び第６電磁弁５４ｆが設けられている。第１蒸発器３５ａ、第２蒸発器３５ｂ及び第３蒸発器３５ｃそれぞれの冷媒流出側は、第４蒸発器３５ｄの冷媒流入側に並列に接続され、第４蒸発器３５ｄの冷媒流出側は、内部熱交換器５１の低圧冷媒流入側に接続されている。内部熱交換器５１の低圧冷媒流出側は、圧縮機４１の冷媒吸入側に接続されている。また、第１放熱器３６ａ及び第２放熱器３６ｂの冷媒吐出側は、第２外部放熱器４３の冷媒流入側に並列に接続され、第２外部放熱器４３の冷媒流出側は、第１外部放熱器４２の冷媒流出側と内部熱交換器５１の高圧冷媒流入側との間の流路に接続されている。更に、第２外部放熱器４３の冷媒吐出側の流路には、第４膨張弁５３ｄが設けられている。
【００２２】
以上のように構成された自動販売機において、第１収納部３０ａ、第２収納部３０ｂ及び第３収納部３０ｃを冷却する場合、第２電磁弁５４ｂ及び第３電磁弁５４ｃを閉鎖し、第１電磁弁５４ａ、第４電磁弁５４ｄ、第５電磁弁５４ｅ及び第６電磁弁５４ｆを開放して冷媒回路５０を冷却運転用冷媒流路に設定し、第１送風機３７ａ、第２送風機３７ｂ、第３送風機３７ｃ、圧縮機４１、機械室用送風機４４を運転する。これにより、圧縮機４１から吐出された冷媒は、図５に示すように、第１電磁弁５４ａ、第１外部熱交換器４２、内部熱交換器５１の高圧側を順次流通し、分岐されて第４電磁弁５４ｄ、第５電磁弁５４ｅ及び第６電磁弁５４ｆが設けられた流路に流入する。第４電磁弁５４ｄが設けられた流路を流通する冷媒は、第１膨張弁５３ａ、第１蒸発器３５ａを流通して第４蒸発器３５ｄに流入し、第５電磁弁５４ｅが設けられた流路を流通する冷媒は、第２膨張弁５３ｂ、第２蒸発器３５ｂを流通して第４蒸発器３５ｄに流入し、第６電磁弁５４ｆが設けられた流路を流通する冷媒は、第３膨張弁５３ｃ、第３蒸発器３５ｃを流通して第４蒸発器３５ｄに流入する。第４蒸発器３５ｄから流出した冷媒は、内部熱交換器５１の低圧側を通って圧縮機４１に吸入される。
【００２３】
また、第１収納部３０ａを加熱し、第２収納部３０ｂ及び第３収納部３０ｃを冷却する場合、第１電磁弁５４ａ、第３電磁弁５４ｃ及び第４電磁弁５４ｄを閉鎖し、第２電磁弁５４ｂ、第４電磁弁５４ｅ及び第５電磁弁５４ｆを開放して冷媒回路５０を冷却加熱運転用冷媒流路に設定し、第１送風機３７ａ、第２送風機３７ｂ、第３送風機３７ｃ、圧縮機４１を運転する。また、機械室用送風機４４は停止する。これにより、圧縮機４１から吐出された冷媒は、図６に示すように、第２電磁弁５４ｂ、第１放熱器３６ａ、第２外部熱交換器４３、第４膨張弁５３ｄ、内部熱交換器５１の高圧側を順次流通し、分岐されて第５電磁弁５４ｅ及び第６電磁弁５４ｆが設けられた流路に流入する。第５電磁弁５４ｅが設けられた流路を流通する冷媒は、第２膨張弁５３ｂ、第２蒸発器３５ｂを流通して第４蒸発器３５ｄに流入し、第６電磁弁５４ｆが設けられた流路を流通する冷媒は、第３膨張弁５３ｃ、第３蒸発器３５ｃを流通して第４蒸発器３５ｄに流入する。第４蒸発器３５ｄから流出した冷媒は、内部熱交換器５１の低圧側を通って圧縮機４１に吸入される。
【００２４】
また、第２収納部３０ｂを加熱し、第１収納部３０ａ及び第３収納部３０ｃを冷却する場合、第１電磁弁５４ａ、第２電磁弁５４ｂ及び第５電磁弁５４ｅを閉鎖し、第３電磁弁５４ｃ、第４電磁弁５４ｄ及び第６電磁弁５４ｆを開放して冷媒回路５０を冷却加熱運転用冷媒流路に設定し、第１送風機３７ａ、第２送風機３７ｂ、第３送風機３７ｃ、圧縮機４１を運転して、機械室用送風機４４を停止する。
【００２５】
更に、第１収納部３０ａ及び第２収納部３０ｂを加熱し、第３収納部３０ｃを冷却する場合、第１電磁弁５４ａ、第４電磁弁５４ｄ及び第５電磁弁５４ｅを閉鎖し、第２電磁弁５４ｂ、第３電磁弁５４ｃ及び第６電磁弁５４ｆを開放して冷媒回路５０を冷却加熱運転用冷媒流路に設定し、第１送風機３７ａ、第２送風機３７ｂ、第３送風機３７ｃ、圧縮機４１を運転して、機械室用送風機４４を停止する。
【００２６】
前記のように、第１収納部３０ａを加熱し、第２収納部３０ｂ及び第３収納部３０ｃを冷却する冷却加熱運転中に、冷却する第２収納部３０ｂ及び第３収納部３０ｃの温度制御は、それぞれ対応する第６電磁弁５４ｆ及び第７電磁弁５４ｇの開閉によって行う。また、加熱する第１収納部３０ａの温度制御は、第１電磁弁５４ａの開閉と第１電熱ヒータ３８ａへの通電及び通電の停止によって行う。加熱する第１収納部３０ａが設定温度以上となり、冷却する第２収納部３０ｂ及び第３収納部３０ｃが設定温度以下となると、圧縮機４１の運転を停止する。
【００２７】
また、第１収納部３０ａを加熱し、第２収納部３０ｂ及び第３収納部３０ｃを冷却する冷却加熱運転中に、冷却する第２収納部３０ｂ及び第３収納部３０ｃの温度が所定温度より高く、加熱する第１収納部３０ａの温度が所定温度以上となると、第２電磁弁５４ｂを閉鎖して、第１電磁弁５４ａを開放して冷媒回路５０を冷却運転用冷媒流路に設定し、機械室用送風機４４を運転する。
【００２８】
また、第１収納部３０ａを加熱し、第２収納部３０ｂ及び第３収納部３０ｃを冷却する冷却加熱運転中に、加熱する第１収納部３０ａが所定温度より低く、第２収納部３０ｂ及び第３収納部３０ｃが所定温度以下となる場合には、圧縮機４１を停止して第１電熱ヒータ３８ａへ通電することにより第１収納部３０ａの加熱のみが行われる。
【００２９】
冷却運転用冷媒流路を流通する冷媒は、第１外部熱交換器４２において放熱した後、冷却する収納部３０ａ，３０ｂ，３０ｃに対応する膨張弁５３ａ，５３ｂ，５３ｃにおいて減圧され、冷却する収納部３０ａ，３０ｂ，３０ｃの蒸発器３５ａ，３５ｂ，３５ｃにおいて吸熱する。これに対して、冷却加熱運転用冷媒流路を流通する冷媒は、加熱する収納部３０ａ，３０ｂの放熱器３６ａ，３６ｂにおいて放熱した後、第４膨張弁５３ｄにおいて減圧され、更に、冷却する収納部３０ａ，３０ｂ，３０ｃに対応する膨張弁５３ａ，５３ｂ，５３ｃにおいて減圧された後、冷却する収納部３０ａ，３０ｂ，３０ｃの蒸発器３５ａ，３５ｂ，３５ｃにおいて吸熱する。即ち、冷却運転用冷媒流路を流通する冷媒の減圧比と比較して、冷却加熱運転用冷媒流路を流通する冷媒の減圧比は大きくなり、冷却運転用冷媒流路に対して冷却加熱運転用冷媒流路における冷媒回路５０の高圧側の圧力が高くなり、冷媒の凝縮温度も高くなる。
【００３０】
また、加熱する収納部３０ａ，３０ｂの負荷が小さい場合には、機械室用送風機４４を運転して加熱する収納部３０ａ，３０ｂの放熱器３６ａ，３６ｂから流出する冷媒を第２外部熱交換器４３において放熱させることにより、冷却する収納部３０ａ，３０ｂ，３０ｃにおける吸熱量が確保される。
【００３１】
また、収納部３０ａ，３０ｂの冷却を継続することにより、第１蒸発器３５ａ、第２蒸発器３５ｂに着霜するが、定期的に冷媒回路５０を冷却加熱運転用冷媒流路に設定し、圧縮機４１から吐出された高温の冷媒を第１放熱器３６ａ、第２放熱器３６ｂに流通させて放熱させることにより第１蒸発器３５ａ、第２蒸発器３５ｂを除霜する。
【００３２】
このように、本実施形態の自動販売機によれば、冷却加熱運転用冷媒流路において、加熱する収納部３０ａ，３０ｂの放熱器３６ａ，３６ｂにおいて放熱した冷媒を第１〜第３膨張弁５３ａ，５３ｂ，５３ｃの上流側で減圧する第４膨張弁５３ｄを設けたので、冷却運転用冷媒流路を流通する冷媒の減圧比と比較して、冷却加熱運転用冷媒流路を流通する冷媒の減圧比を大きくすることによって、冷却運転用冷媒流路を流通する冷媒の凝縮温度よりも冷却加熱運転用冷媒流路を流通する冷媒の凝縮温度を高く維持することができ、放熱器３６ａ，３６ｂからの熱エネルギーによって加熱する収納部３０ａ，３０ｂを確実に加熱することが可能となり、エネルギー効率の向上を図ることが可能となる。
【００３３】
また、第４膨張弁５３ｄの上流側を流通する冷媒を放熱させる第２外部放熱器４３を備えたので、加熱する収納部３０ａ，３０ｂの負荷が小さい場合に、加熱する収納部３０ａ，３０ｂの放熱器３６ａ，３６ｂから流出する冷媒を放熱させることができ、冷却する収納部３０ａ，３０ｂ，３０ｃの冷却性能を保持することが可能となる。
【００３４】
また、第１放熱器３６ａ及び第２放熱器３６ｂを流通した冷媒を放熱させるために、第１外部放熱器４２と異なる回路構成の第２外部放熱器４３を用いたので、流路を切り換えるための開閉弁、三方弁等の機器を必要としないため、製造コストの低減を図ることが可能となる。
【００３５】
また、冷却運転用冷媒流路の第１外部放熱器４２において放熱した冷媒または冷却加熱運転用冷媒流路の第４膨張弁５３ｄによって減圧された冷媒と、圧縮機４１に吸入される冷媒とを熱交換するための内部熱交換器５１を備えたので、冷却運転用冷媒流路の第１外部放熱器４２において放熱した冷媒または冷却加熱運転用冷媒流路の第４膨張弁５３ｄによって減圧された冷媒のエンタルピーを低下させることができ、収納部３０ａ，３０ｂ，３０ｃの冷却能力を向上させることが可能となる。
【００３６】
また、圧縮機４１から吐出した冷媒を放熱器３６ａ，３６ｂに流通させることにより、収納部３０ａ，３０ｂの冷却によって着霜した蒸発器３５ａ，３５ｂを除霜するようにしたので、除霜専用の冷媒流路を構成することなく、蒸発器３５ａ，３５ｂの除霜を行うことができ、製造コストの低減を図ることが可能となる。
【００３７】
尚、前記実施形態では、膨張弁５３ａ，５３ｂ，５３ｃ，５３ｄを用いたものを示したが、膨張弁の代わりにキャピラリチューブを用いるようにしても前記実施形態と同様の効果を得ることが可能となる。
【符号の説明】
【００３８】
３０…商品収納部、３０ａ…第１収納部、３０ｂ…第２収納部、３０ｃ…第３収納部、３５ａ…第１蒸発器、３５ｂ…第２蒸発器、３５ｃ…第３蒸発器、３６ａ…第１放熱器、３６ｂ…第２放熱器、４１…圧縮機、４２…第１外部放熱器、４３…第２外部放熱器、４４…機械室用送風機、５０…冷媒回路、５１…内部熱交換器、５３ａ…第１膨張弁、５３ｂ…第２膨張弁、５３ｃ…第３膨張弁、５３ｄ…第４膨張弁。
【図１】
2010216755.tif 000003
【図２】
2010216755.tif 000004
【図３】
2010216755.tif 000005
【図４】
2010216755.tif 000006
【図５】
2010216755.tif 000007
【図６】
2010216755.tif 000008